(57)【特許請求の範囲】
【請求項１】
第１のユーザによって操作される第１の端末と、第２のユーザによって操作される第２の端末との間で、ユーザ毎に所有されたポイント情報を譲渡するポイント情報譲渡方法であって、
ユーザ毎に、ポイント情報を管理するポイント管理サーバと、
端末間でテキスト及びスタンプ（画像情報）を含むメッセージを転送すると共に、ポイント情報に対応したスタンプを端末へ配布するメッセージングサーバと
を更に有し、
第１の端末が、譲渡したいポイント情報に応じたスタンプを、前記メッセージングサーバを介して第２の端末へ転送する第１のステップと、
前記メッセージングサーバは、前記スタンプに対応したポイント情報が第１のユーザから第２のユーザへ転送された旨のポイント譲渡要求を、前記ポイント管理サーバへ送信する第２のステップと、
前記ポイント管理サーバが、譲渡元となる第１のユーザの前記ポイント情報を、受取先となる第２のユーザへ振り替える第３のステップと
を有することを特徴とするポイント情報譲渡方法。
【請求項２】
前記ポイント管理サーバは、通信事業者によって管理されており、
前記ポイント情報は、使用可能データ容量である
ことを特徴とする請求項１に記載のポイント情報譲渡方法。
【請求項３】
前記ポイント情報は、オンライン／オフラインの店舗で提供されるポイント、又は、銀行における口座の入金残額である
ことを特徴とする請求項１に記載のポイント情報譲渡方法。
【請求項４】
前記メッセージングサーバは、ＳＮＳ(Social Networking Service)サーバであり、
前記スタンプは、前記ポイント情報に応じて外観が異なるイラストである
ことを特徴とする請求項１から３のいずれか１項に記載のポイント情報譲渡方法。
【請求項５】
第１の端末が、前記メッセージングサーバを介して前記ポイント管理サーバとの間で、第１のユーザの認証処理を実行するステップと、
第２の端末が、前記メッセージングサーバを介して前記ポイント管理サーバとの間で、第２のユーザの認証処理を実行するステップと
を有することを特徴とする請求項１から４のいずれか１項に記載のポイント情報譲渡方法。
【請求項６】
第１の端末が、メッセージングサーバへスタンプを要求するステップと、
メッセージングサーバが、ポイント管理サーバへ、第１の端末の第１のユーザに所有されるポイント情報を問い合わせるステップと、
メッセージングサーバが、第１の端末の第１のユーザに所有されるポイント情報に応じて、譲渡可能な１つ以上のスタンプを選択するステップと、
メッセージングサーバが、選択されたスタンプを、第１の端末へ送信するステップと、
第１の端末が、メッセージングサーバから受信したスタンプの中で、第２の端末へ譲渡したいスタンプを、第１のユーザに選択させるステップと
を有することを特徴とする請求項１から５のいずれか１項に記載のポイント情報譲渡方法。
【請求項７】
第２の端末が、第１の端末からメッセージングサーバを介してスタンプを受信した際に、
第２の端末が、受信したスタンプに基づくポイント受取要求を、メッセージングサーバへ送信するステップと、
メッセージングサーバが、前記ポイント受取要求を、ポイント管理サーバ１へ送信するステップと、
ポイント管理サーバが、前記ポイント受取要求を受信することによって第２の端末の第２のユーザにおけるポイントの受け取りを確認し、ポイント受取応答をメッセージングサーバへ送信するステップと、
メッセージングサーバが、前記ポイント受取応答を、第２の端末へ送信するステップと
を有することを特徴とする請求項１から６のいずれか１項に記載のポイント情報譲渡方法。
【請求項８】
前記スタンプには、ポイント管理サーバのアドレスが含まれており、
第２の端末が、第１の端末からメッセージングサーバを介してスタンプを受信した際に、
第２の端末が、受信したスタンプに基づくポイント受取要求を、当該スタンプに含まれるポイント管理サーバのアドレスへ、送信するステップと、
ポイント管理サーバが、前記ポイント受取要求を受信することによって第２の端末の第２のユーザにおけるポイントの受け取りを確認し、ポイント受取応答を第２の端末へ返信するステップと
を有することを特徴とする請求項１から７のいずれか１項に記載のポイント情報譲渡方法。
【請求項９】
第１のユーザによって操作される第１の端末と、第２のユーザによって操作される第２の端末との間で、ユーザ毎に所有されたポイント情報を譲渡するシステムであって、
前記システムは、
ユーザ毎に、ポイント情報を管理するポイント管理サーバと、
端末間でテキスト及びスタンプ（画像情報）を含むメッセージを転送すると共に、ポイント情報に対応したスタンプを端末へ配布するメッセージングサーバと
を更に有し、
メッセージングサーバは、第１の端末から、譲渡したいポイント情報に応じたスタンプを受信し、当該スタンプを譲渡先となる第２の端末へ転送した際に、前記スタンプに対応したポイント情報が第１のユーザから第２のユーザへ転送された旨のポイント譲渡要求を、前記ポイント管理サーバへ送信し、
前記ポイント管理サーバは、譲渡元となる第１のユーザの前記ポイント情報を、受取先となる第２のユーザへ振り替える
ことを特徴とするシステム。
【発明の詳細な説明】
【技術分野】
【０００１】
本発明は、端末間で、テキスト及びスタンプ（画像情報）を交換するＳＮＳ(Social Networking Service)の技術に関する。
【背景技術】
【０００２】
近年、代表的なＳＮＳとして、LINE（登録商標）やfacebook（登録商標）が利用されている。ＳＮＳにおけるメッセンジャー（メッセージアプリケーションプログラム）は、端末間又はグループ内におけるテキストの交換をベースとしながら、「スタンプ」と称される画像情報も交換することができる。スタンプとは、例えば喜怒哀楽や、感動・落胆・放心・ドヤ顔・お礼・お詫び・懇願・からかい・応援等のように、多種多様な表情や感情を表現するイラストである。メッセージに、テキストに加えて更にスタンプを添付することによって、言葉では表現しにくい感情の機微を、相手方ユーザへ的確且つ簡潔に伝えることができる。
【０００３】
メッセンジャーで配布されるスタンプは、無料のものもあれば、収益を目的とした有料のものある。また、スタンプは、定型に限られず、商品やキャラクタのプロモーション用もある。プロモーション用としては、例えば、実世界のスタンプラリーと仮想世界のスタンプとを連携させた技術がある（例えば特許文献１参照）。
【０００４】
ＳＮＳは、一般に、携帯電話網に接続されるスマートフォンやタブレットのような端末によって利用されている。携帯電話網によれば、端末毎に、基本使用料及び音声通話料に加えて、データ通信料も課金される。データ通信料は、従量制である場合が多く、毎月の使用可能データ容量（例えば「１０Ｇbyte」「５Ｇbyte」「３Ｇbyte」「２Ｇbyte」）には、ユーザの選択によって契約することができる。
【０００５】
これに対し、通信事業者としては、ユーザ自ら使用しないデータ容量を、家族間で譲渡することができるサービスも提供している（例えば非特許文献１参照）。この技術によれば、ユーザ自ら、スマートフォンによって通信事業者サイトにアクセスし、譲渡する相手先とそのデータ容量（例えば０．５Ｇbyte単位）を指定することができる。ユーザにとっては、従量制で且つ毎月契約となる使用可能データ容量が無駄にならないようにすることができる。
【先行技術文献】
【特許文献】
【０００６】
【特許文献１】特開２０１５−１８４８８号公報
【非特許文献】
【０００７】
【非特許文献１】「データギフト」、[online]、［平成２８年１月２０日検索］、インターネット＜URL:http://www.au.kddi.com/mobile/charge/data-option/data-gift/＞
【発明の概要】
【発明が解決しようとする課題】
【０００８】
ＳＮＳのメッセンジャーで使用されるスタンプは、あくまで、ユーザ間やグループ内で、ユーザの感情や意思を伝えるものに過ぎない。スタンプは、メッセンジャーによって完全に管理された画像情報であって、テキストと同様に端末間で転送される。即ち、ユーザ作成の任意の画像情報を転送するものではない。
【０００９】
一方で、近年の現実的な商取引によれば、「ポイント」情報の提供及び利用が一般的となっている。ポイント情報は、販売促進サービスの１つであって、制限された商取引の中では一種の金銭となる。即ち、金銭的なポイントであって、例えばユーザが所定の商品役務を購入した際に発生し、その後の他の商品役務の購入に充てることができる。蓄積されるポイント情報自体は、ユーザが所持するカードと、ネットワークを介して接続されるサーバとによって管理される。
【００１０】
ここで、本願の発明者らは、ユーザ自らが所有する何らかのポイント情報を、メッセージを用いて他のユーザへ簡易に譲渡することはできないか？と考えた。
【００１１】
そこで、本発明は、ユーザ所有のポイント情報に応じたポイント情報を、メッセージを用いて他のユーザへ簡易に譲渡することができるポイント情報譲渡方法及びシステムを提供することを目的とする。
【課題を解決するための手段】
【００１２】
本発明によれば、第１のユーザによって操作される第１の端末と、第２のユーザによって操作される第２の端末との間で、ユーザ毎に所有されたポイント情報を譲渡するポイント情報譲渡方法であって、
ユーザ毎に、ポイント情報を管理するポイント管理サーバと、
端末間でテキスト及びスタンプ（画像情報）を含むメッセージを転送すると共に、ポイント情報に対応したスタンプを端末へ配布するメッセージングサーバと
を更に有し、
第１の端末が、譲渡したいポイント情報に応じたスタンプを、メッセージングサーバを介して第２の端末へ転送する第１のステップと、
メッセージングサーバは、スタンプに対応したポイント情報が第１のユーザから第２のユーザへ転送された旨のポイント譲渡要求を、ポイント管理サーバへ送信する第２のステップと、
ポイント管理サーバが、譲渡元となる第１のユーザのポイント情報を、受取先となる第２のユーザへ振り替える第３のステップと
を有することを特徴とする。
【００１３】
本発明のポイント情報譲渡方法における他の実施形態によれば、
ポイント管理サーバは、通信事業者によって管理されており、
ポイント情報は、使用可能データ容量であることも好ましい。
【００１４】
本発明のポイント情報譲渡方法における他の実施形態によれば、
ポイント情報は、オンライン／オフラインの店舗で提供されるポイント、又は、銀行における口座の入金残額であることも好ましい。
【００１５】
本発明のポイント情報譲渡方法における他の実施形態によれば、
メッセージングサーバは、ＳＮＳ(Social Networking Service)サーバであり、
スタンプは、ポイント情報に応じて外観が異なるイラストである
ことも好ましい。
【００１６】
本発明のポイント情報譲渡方法における他の実施形態によれば、
第１の端末が、メッセージングサーバを介してポイント管理サーバとの間で、第１のユーザの認証処理を実行するステップと、
第２の端末が、メッセージングサーバを介してポイント管理サーバとの間で、第２のユーザの認証処理を実行するステップと
を有することも好ましい。
【００１７】
本発明のポイント情報譲渡方法における他の実施形態によれば、
第１の端末が、メッセージングサーバへスタンプを要求するステップと、
メッセージングサーバが、ポイント管理サーバへ、第１の端末の第１のユーザに所有されるポイント情報を問い合わせるステップと、
メッセージングサーバが、第１の端末の第１のユーザに所有されるポイント情報に応じて、譲渡可能な１つ以上のスタンプを選択するステップと、
メッセージングサーバが、選択されたスタンプを、第１の端末へ送信するステップと、
第１の端末が、メッセージングサーバから受信したスタンプの中で、第２の端末へ譲渡したいスタンプを、第１のユーザに選択させるステップと
を有することも好ましい。
【００１８】
本発明のポイント情報譲渡方法における他の実施形態によれば、
第２の端末が、第１の端末からメッセージングサーバを介してスタンプを受信した際に、
第２の端末が、受信したスタンプに基づくポイント受取要求を、メッセージングサーバへ送信するステップと、
メッセージングサーバが、ポイント受取要求を、ポイント管理サーバ１へ送信するステップと、
ポイント管理サーバが、ポイント受取要求を受信することによって第２の端末の第２のユーザにおけるポイントの受け取りを確認し、ポイント受取応答をメッセージングサーバへ送信するステップと、
メッセージングサーバが、ポイント受取応答を、第２の端末へ送信するステップと
を有することも好ましい。
【００１９】
本発明のポイント情報譲渡方法における他の実施形態によれば、
スタンプには、ポイント管理サーバのアドレスが含まれており、
第２の端末が、第１の端末からメッセージングサーバを介してスタンプを受信した際に、
第２の端末が、受信したスタンプに基づくポイント受取要求を、当該スタンプに含まれるポイント管理サーバのアドレスへ、送信するステップと、
ポイント管理サーバが、ポイント受取要求を受信することによって第２の端末の第２のユーザにおけるポイントの受け取りを確認し、ポイント受取応答を第２の端末へ返信するステップと
を有することも好ましい。
【００２０】
本発明によれば、第１のユーザによって操作される第１の端末と、第２のユーザによって操作される第２の端末との間で、ユーザ毎に所有されたポイント情報を譲渡するシステムであって、
システムは、
ユーザ毎に、ポイント情報を管理するポイント管理サーバと、
端末間でテキスト及びスタンプ（画像情報）を含むメッセージを転送すると共に、ポイント情報に対応したスタンプを端末へ配布するメッセージングサーバと
を更に有し、
メッセージングサーバは、第１の端末から、譲渡したいポイント情報に応じたスタンプを受信し、当該スタンプを譲渡先となる第２の端末へ転送した際に、スタンプに対応したポイント情報が第１のユーザから第２のユーザへ転送された旨のポイント譲渡要求を、ポイント管理サーバへ送信し、
ポイント管理サーバは、譲渡元となる第１のユーザのポイント情報を、受取先となる第２のユーザへ振り替える
ことを特徴とする。
【発明の効果】
【００２１】
本発明のポイント情報譲渡方法及びシステムによれば、ユーザ所有のポイント情報に応じたポイント情報を、メッセージを用いて他のユーザへ簡易に譲渡することができる。
【図面の簡単な説明】
【００２２】
【図１】本発明のシステム構成図である。
【図２】本発明における基本的なシーケンス図である。
【図３】ポイント情報に応じたスタンプを送受信する際に表示される端末の画面イメージである。
【図４】通信事業者認証シーケンスＳａ及びポイントスタンプ提供シーケンスＳｂを表すシーケンス図である。
【図５】通信事業者認証シーケンスＳｃ及びポイント受取シーケンスＳｄを表すシーケンス図である。
【図６】図５と比較して、ポイント管理サーバと直接的に実行するシーケンス図である。
【発明を実施するための形態】
【００２３】
以下、本発明の実施の形態について、図面を用いて詳細に説明する。
【００２４】
図１は、本発明のシステム構成図である。
【００２５】
図１のシステムによれば、ユーザに所持される端末３は、携帯電話網のような通信事業者網に接続し、インターネットを介して、メッセージングサーバ２と通信することができる。端末３は、例えばスマートフォンやタブレット、携帯電話機、パーソナルコンピュータのようなものである。
【００２６】
メッセージングサーバ２は、ＳＮＳサーバにおけるメッセンジャー機能である。メッセージングサーバ２は、ユーザ間及びグループ内で、テキスト及びスタンプ（画像情報）を含むメッセージを交換するためのものである。また、メッセージングサーバ２は、画像自体及びＩＤ(IDentifier)が管理された様々なスタンプを、ユーザに配布することができる。ユーザは、好みのスタンプを選択し、相手方ユーザとのコミュニケーションに利用することができる。
【００２７】
また、図１のシステムによれば、ユーザ毎のポイント情報を管理する「ポイント管理サーバ」１が設置されている。本発明におけるポイント管理サーバ１は、メッセージングサーバ２と通信することができる。ポイント管理サーバ１は、様々な商取引に適用でき、ポイント情報のサービスを提供する事業主によって運用されている。具体的には、ポイント情報として、例えば以下のようなものを想定できる。
・オンライン（例えばネット通販）／オフライン（例えばコンビニエンスストア）の店舗で提供されるポイント
・銀行における口座の入金残額
・通信事業者網の場合、例えば従量制となる使用可能データ容量
【００２８】
更に、図１のシステムによれば、通信事業者網には、通信事業設備装置４が配置されている。通信事業設備装置４は、各ユーザが所有する「使用可能データ容量」に応じて、各端末の通信サービス（例えばデータ通信容量）を管理している。
【００２９】
以下では例として、「ポイント情報」は、通信事業者網における「使用可能データ容量」であるとして説明する。そのために、ポイント管理サーバ１は、通信事業者によって管理されているとする。図１の実施形態によれば、ユーザａの端末３ａから、ユーザｂの端末３ｂへ、ポイント情報を譲渡するシーケンスを例として説明する。
【００３０】
図２は、本発明における基本的なシーケンス図である。
【００３１】
（Ｓａ）オプション機能であって、ユーザａに所持される端末３ａは、ポイント管理サーバ１との間で、＜通信事業者認証シーケンス＞を事前に実行する。
（Ｓｂ）オブション機能であって、端末３ａは、ポイント管理サーバ１から、相手ユーザへ譲渡可能なポイント情報に応じたスタンプの配布を受ける。そのために、端末３ａは、ポイント管理サーバ１との間で、＜ポイントスタンプ提供シーケンス＞を事前に実行する。勿論、ポイント情報に応じることなく固定的なスタンプを利用する場合には、このシーケンスを実行する必要もない。
【００３２】
（Ｓ１）端末３ａが、譲渡したいポイント情報に応じたスタンプ（画像情報）を、メッセージングサーバ２を介して端末３ｂへ転送する。
【００３３】
図３は、ポイント情報に応じたスタンプを送受信する際に表示される端末の画面イメージである。
【００３４】
ユーザａは、使用可能データ容量「１Ｇbyte」を、ユーザｂへ譲渡しようとしている。このとき、ユーザａは、端末３ａのメッセンジャーにメッセージとして、以下のように記述することができる。
「データ１Ｇ、あげるよ［１Ｇbyte用のスタンプ］」
１Ｇbyte用のスタンプは、固定的なものであってもよいし、前述のＳｂによって配布されたものであってもよい。メッセージングサーバ２は、既存のメッセンジャー機能として、端末３ａから受信したメッセージをそのまま、宛先となる端末３ｂへ転送する。端末３ｂは、そのメッセージをディスプレイに表示し、ユーザｂに視認させる。
【００３５】
（Ｓ２）メッセージングサーバ２は、ポイント譲渡要求を、ポイント管理サーバ１へ送信する。ポイント譲渡要求には、スタンプに対応したポイント情報がユーザａからユーザｂへ転送された旨が記述される。
【００３６】
（Ｓｃ）オプション機能であって、ユーザｂに所持される端末３ｂは、ポイント管理サーバ１との間で、＜通信事業者認証シーケンス＞を事前に実行する。
（Ｓｄ）オプション機能であって、ユーザｂに所持される端末３ｂは、ポイント管理サーバ１との間で、＜ポイント受取シーケンス＞を実行する。
【００３７】
（Ｓ３）ポイント管理サーバ１が、譲渡元となるユーザａのポイント情報を、受取先となるユーザｂへ振り替える。ポイント管理サーバ１は、ユーザＩＤ毎にポイント情報を管理しており、譲渡元のユーザのポイント情報を減分し、受取先のユーザのポイント情報を増分する。
【００３８】
その後、図２及び図３によれば、例えば受取先のユーザｂは、ユーザａへ、メッセージ”ありがとう！”を送信している。
【００３９】
図４は、通信事業者認証シーケンスＳａ及びポイントスタンプ提供シーケンスＳｂを表すシーケンス図である。
【００４０】
＜通信事業者認証シーケンス（オプション）：Ｓａ＞
ユーザａの端末３ａは、ポイント管理サーバ１との間で、ユーザａの認証処理を実行する。ここで、認証処理のシーケンスは、端末３ａとポイント管理サーバ１との間でメッセージングサーバ２を介して実行されることが好ましい。勿論、端末３ａとポイント管理サーバ１との間で、直接的に実行されるものであってもよい。
【００４１】
（Ｓａ１）ユーザａの操作に応じた端末３ａは、通信事業者認証要求を、メッセージングサーバ２へ送信する。通信事業者認証要求には、例えばユーザａのＩＤ及びパスワードが含まれる。
（Ｓａ２）メッセージングサーバ２は、ポイント管理サーバ１へ、認証要求を送信する。その認証要求には、ユーザａのＩＤ及びパスワードが含まれる。これによって、ポイント管理サーバ１は、端末３ａのユーザａがポイント情報の管理対象となるユーザであることを認証する。
（Ｓａ３）これに対し、ポイント管理サーバ１は、認証成功を、メッセージングサーバ２へ返信する。
（Ｓａ４）そして、メッセージングサーバ２は、その認証成功を、端末３ａへ送信する。
【００４２】
＜ポイントスタンプ提供シーケンス（オプション）：Ｓｂ＞
（Ｓｂ１）端末３ａは、メッセージングサーバ２へ、スタンプ要求を送信する。これは、端末３ａのユーザａが、他のユーザへ譲渡可能なポイント情報に応じて選択可能なスタンプを要求するものである。スタンプ自体は、メッセージングサーバ２によって管理されたものである。
（Ｓｂ２）メッセージングサーバ２は、ポイント管理サーバ１へ、端末３ａのユーザａに所有されるポイント情報を問い合わせる。
（Ｓｂ３）ポイント管理サーバ１は、ユーザａに所有されるポイント情報を検索する。例えばユーザａは、使用可能データ容量＝３Ｇbyteを所有しているとする。
（Ｓｂ４）そして、ポイント管理サーバ１は、メッセージングサーバ２へ、ポイント通知を返信する。ポイント通知には、ユーザａの使用可能データ容量＝３Ｇbyteである旨が記述されている。
（Ｓｂ５）これに対し、メッセージングサーバ２が、端末３ａのユーザａに所有されるポイント情報に応じて、譲渡可能な１つ以上のスタンプ（画像情報）を選択する。即ち、ユーザａが所有するポイント情報以上のポイント情報を、他のユーザへ譲渡することはできない。ここでは、例えば譲渡可能な４つのスタンプを発行したとする。
［スタンプ１］２Ｇbyte譲渡用
［スタンプ２］１Ｇbyte譲渡用
［スタンプ３］５００Ｍbyte譲渡用
［スタンプ４］１００Ｍbyte譲渡用
スタンプは、ポイント情報に応じて外観が異なる画像情報（イラスト）である。
尚、当然、ユーザａが１．５Ｇbyteしか所有していない場合、譲渡可能なスタンプとしては、スタンプ２，３，４しか発行されない。
（Ｓｂ６）メッセージングサーバ２は、選択されたスタンプを含むポイント応答を、端末３ａへ送信する。
（Ｓｂ７）これによって、端末３ａは、メッセージングサーバ２から受信した複数のスタンプを、ユーザａへ明示することができる。
これによって、Ｓｂに続くＳ１によれば、ユーザａは、端末３ｂのユーザｂへ譲渡したいスタンプを選択することができる。
【００４３】
図５は、通信事業者認証シーケンスＳｃ及びポイント受取シーケンスＳｄを表すシーケンス図である。
【００４４】
＜通信事業者認証シーケンス（オプション）：Ｓｃ＞
ユーザｂの端末３ｂは、ポイント管理サーバ１との間で、ユーザｂの認証処理を実行する。ここで、認証処理のシーケンスは、端末３ｂとポイント管理サーバ１との間でメッセージングサーバ２を介して実行されることが好ましい。勿論、端末３ｂとポイント管理サーバ１との間で、直接的に実行されるものであってもよい。
尚、認証シーケンス自体は、図４の通信事業者認証シーケンスＳａと同じである。
【００４５】
＜ポイント受取シーケンス（オプション）：Ｓｄ＞
端末３ｂは、Ｓ１によって既に、端末３ａからメッセージングサーバ２を介して、メッセージを受信している。そのメッセージには、テキストと共に譲渡用のスタンプが含まれている。
（Ｓｄ１）端末３ｂは、受信したスタンプに基づくポイント受取要求を、メッセージングサーバ２へ送信する。
（Ｓｄ２）メッセージングサーバ２は、そのポイント受取要求を、ポイント管理サーバ１へ送信する。
（Ｓｄ３）ポイント管理サーバ１は、ポイント受取要求を受信することによって、ユーザｂがユーザａからのポイントの受け取りを確認する。そして、ポイント管理サーバ１は、ポイント受取応答を、メッセージングサーバ２へ送信する。
（Ｓｄ４）メッセージングサーバ２は、ポイント受取応答を、端末３ｂへ送信する。
これによって、端末３ｂのユーザｂの受け取り意思を確認できたポイント管理サーバ１は、Ｓｄに続くＳ３によって、ポイント情報の振り替えを実行することができる。
【００４６】
図６は、図５と比較して、ポイント管理サーバと直接的に実行するシーケンス図である。
【００４７】
図６によれば、スタンプに、ポイント管理サーバ１のアドレス"http://point.auau.com"が含まれている。即ち、メッセージングサーバ２から端末３へ配布されるスタンプには、ポイント管理サーバ１のアドレスが含まれていることを要する。これによって、Ｓｃ及びＳｄのシーケンスによれば、受取先となる端末３ｂは、メッセージングサーバ２を介することなく、ポイント管理サーバ１と直接的にシーケンスを実行することができる。
【００４８】
（Ｓｄ１）端末３ｂに表示されたスタンプに記述されたＵＲＬ(Uniform Resource Locator)を、ユーザ操作によってクリックする（図３のＳｄ参照）。これによって、端末３ｂが、受信したスタンプに基づくポイント受取要求を、当該スタンプに含まれるポイント管理サーバ１のアドレスへ、送信する。
（Ｓｄ２）これに対し、ポイント管理サーバ１が、ポイント受取要求を受信することによって端末３ｂのユーザｂにおけるポイントの受け取りを確認し、ポイント受取応答を端末３ｂへ返信する。
【００４９】
以上、詳細に説明したように、本発明のポイント情報譲渡方法及びシステムによれば、ユーザ所有のポイント情報に応じたポイント情報を、メッセージを用いて他のユーザへ簡易に譲渡することができる。
【００５０】
従来技術を想定した場合、ポイント情報の譲渡元のユーザは、ポイント情報を管理する専用サイトにアクセスすることによって、受取先を指定する必要があった。これに対し、本発明によれば、一般的に利用されているメッセンジャーの中で、スタンプを送信することによって、ポイント情報を簡易に譲渡することができる。譲渡元のユーザにとっては、専用サイトにアクセスする必要もない。
【００５１】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５２】
１  ポイント管理サーバ
２  メッセージングサーバ
３  端末
４  通信事業設備装置
【図１】
0006498616.tif 000002
【図２】
0006498616.tif 000003
【図３】
0006498616.tif 000004
【図４】
0006498616.tif 000005
【図５】
0006498616.tif 000006
【図６】
0006498616.tif 000007